(57)【要約】【課題】  アクティブ方式の３Ｄメガネとパッシブ方式の３Ｄメガネとの互換可能な３Ｄメガネ、それを含む３Ｄディスプレイ装置及びその制御方法を提供する。【解決手段】  アクティブ方式及びパッシブ方式で３Ｄ映像がディスプレイされる場合、いずれもが一つの３Ｄメガネで３Ｄ映像が視聴可能な本発明の一実施形態に係る３Ｄディスプレイ装置は、３Ｄ映像を表示する３Ｄパネル部と、前記３Ｄパネル部の前面に取り付けられ、前記３Ｄ映像を位相遅延させて円偏光成分に変換させる第１円偏光フィルムと、前記３Ｄ映像を視聴するための３Ｄメガネとを含み、前記３Ｄメガネは、前記第１円偏光フィルムにより変換された円偏光成分を位相遅延させて直線偏光成分に変換させる第２円偏光フィルムと、前記第２円偏光フィルムにより変換された前記直線偏光成分を、電源状態に応じて前記直線偏光成分を通過または遮断させる液晶部と、前記液晶部を通過した直線偏光成分の方向に応じて前記直線偏光成分を通過または遮断させる直線偏光板とを含む。【選択図】      図１
2012098725.tif 000002
【特許請求の範囲】
【請求項１】
３Ｄ映像を表示する３Ｄパネル部と、
前記３Ｄパネル部の前面に取り付けられ、前記３Ｄ映像を位相遅延させて円偏光成分に変換させる第１円偏光フィルムと、
前記３Ｄ映像を視聴するための３Ｄメガネとを含み、
前記３Ｄメガネは、
前記第１円偏光フィルムにより変換された円偏光成分を位相遅延させて直線偏光成分に変換させる第２円偏光フィルムと、
前記第２円偏光フィルムにより変換された前記直線偏光成分を、電源状態に応じて前記直線偏光成分を通過または遮断させる液晶部と、
前記液晶部を通過した直線偏光成分の方向に応じて前記直線偏光成分を通過または遮断させる直線偏光板とを含む３Ｄディスプレイ装置。
【請求項２】
前記第１円偏光フィルムはλ／４だけ位相が遅延される円偏光フィルムであり、
前記第２円偏光フィルムは−λ／４だけ位相が遅延される円偏光フィルムであることを特徴とする請求項１に記載の３Ｄディスプレイ装置。
【請求項３】
前記第１円偏光フィルムの光軸と前記第２円偏光フィルムの光軸との差が９０℃であることを特徴とする請求項１に記載の３Ｄディスプレイ装置。
【請求項４】
前記液晶部のラビング（Ｒｕｂｂｉｎｇ）方向と前記第２円偏光フィルムの光軸との差が４５℃であることを特徴とする請求項１に記載の３Ｄディスプレイ装置。
【請求項５】
前記液晶部は、
前記３Ｄ映像の左眼映像または右眼映像に応じて、前記３Ｄメガネの左眼または右眼の電源が交互に印加され、前記３Ｄパネル部と同期を取って動作することを特徴とする請求項１に記載の３Ｄディスプレイ装置。
【請求項６】
前記第１円偏光フィルムは、
パターン化された円偏光フィルム（Ｐａｔｔｅｒｎｅｄ  ｒｅｔａｒｄｅｒ）であることを特徴とする請求項１に記載の３Ｄディスプレイ装置。
【請求項７】
前記液晶部は、
前記３Ｄメガネの左眼または右眼のうちいずれか一方にのみ継続して電圧が印加され、他方には電圧が印加されないことを特徴とする請求項１に記載の３Ｄディスプレイ装置。
【請求項８】
前記直線偏光板は、水平（Ｈｏｒｉｚｏｎｔａｌ）直線偏光板であることを特徴とする請求項１に記載の３Ｄディスプレイ装置。
【請求項９】
前記液晶部は、別の直線偏光板を含まずに、前記液晶部と前記第２円偏光フィルムとの間にも前記別の直線偏光板を含まないことを特徴とする請求項１に記載の３Ｄディスプレイ装置。
【請求項１０】
３Ｄパネル部の前面に取り付けられた第１円偏光フィルムが、前記３Ｄパネル部により表示される映像を位相遅延させて円偏光成分に変換させるステップと、
３Ｄメガネの第２円偏光フィルムが、前記変換された円偏光成分を位相遅延させて直線偏光成分に変換させるステップと、
前記３Ｄメガネの液晶部が、前記変換された直線偏光成分を電源状態に応じて通過または遮断させるステップと、
前記３Ｄメガネの直線偏光板が、前記通過した直線偏光成分の方向に応じて前記直線偏光成分を通過または遮断させるステップとを含む３Ｄディスプレイ装置の制御方法。
【請求項１１】
前記第１円偏光フィルムはλ／４だけ位相が遅延される円偏光フィルムであり、
前記第２円偏光フィルムは−λ／４だけ位相が遅延される円偏光フィルムであることを特徴とする請求項１０に記載の３Ｄディスプレイ装置の制御方法。
【請求項１２】
前記直線偏光成分を通過または遮断させるステップは、
前記液晶部に前記３Ｄ映像の左眼映像または右眼映像に応じて、前記３Ｄメガネの左眼または右眼の電源が交互に印加され、前記液晶部は前記３Ｄパネル部と同期を取って動作することを特徴とする請求項１０に記載の３Ｄディスプレイ装置の制御方法。
【請求項１３】
前記直線偏光成分を通過または遮断させるステップは、
前記液晶部に前記３Ｄメガネの左眼または右眼のうちいずれか一方にのみ継続して電圧が印加され、他方には電圧が印加されないことを特徴とする請求項１０に記載の３Ｄディスプレイ装置の制御方法。
【発明の詳細な説明】
【技術分野】
【０００１】
本発明は、３Ｄメガネ、それを含む３Ｄディスプレイ装置及びその制御方法に関し、より詳細には、アクティブ方式及びパッシブ方式のいずれもが視聴可能な３Ｄメガネ、それを含む３Ｄディスプレイ装置及びその制御方法に関する。
【背景技術】
【０００２】
一般的に３Ｄ映像は、人の両眼によるステレオ視覚の原理により成立するが、両眼の離間距離が存在することで生じる両眼時差が立体感の重要な要因であるといえる。最近は、医療映像、ゲーム、広告、教育、軍事等、様々な分野で、このような両眼時差の原理を用いて３Ｄ映像を提供する３Ｄディスプレイ装置の必要性が求められている。
【０００３】
それをうけ、最近は、高解像度のテレビがますます大衆化するにつれ、３Ｄでテレビが視聴できる３Ｄディスプレイ装置が一般化している傾向にある。
【０００４】
しかしながら、従来の３Ｄディスプレイ装置でパネル部の３Ｄ映像を観るためには、ＬＣＤ駆動を用いた３Ｄメガネが使われるアクティブ（Ａｃｔｉｖｅ）方式と、直線偏光フィルムまたは円偏光フィルムが取り付けられた偏光フィルムを用いた３Ｄメガネが使われるパッシブ（Ｐａｓｓｉｖｅ）方式が個別に使用されていた。
【０００５】
図面に示されてはいないが、アクティブ方式はパネル部で左眼映像と右眼映像とを時間的に交互に出力し、それと同期を取ってアクティブ方式の３ＤメガネのＬＣＤを駆動させ、左眼映像と右眼映像とを分離することで３Ｄ映像を実現している。なお、パッシブ方式はアクティブ方式の３Ｄメガネと違って、ＬＣＤを備えておらず、パネル部の前面に備えられた偏光フィルムと３Ｄメガネに備えられた偏光フィルムを用いて、一つの垂直ラインに左眼映像と右眼映像とを分離することで３Ｄ映像を実現している。
【０００６】
ところが、従来のアクティブ方式の３Ｄディスプレイ装置と、パッシブ方式の３Ｄディスプレイ装置との間にパネル部のディスプレイ方式の差異により、３Ｄメガネの互換性がないという問題があった。
【先行技術文献】
【特許文献】
【０００７】
【特許文献１】韓国特開第２００９−１０１６３０号公報
【特許文献２】米国特開第２０１０−００６０７２１号公報
【特許文献３】米国登録第７、７０５、９３５号
【特許文献４】韓国登録第１０−０７２７５３９号
【発明の概要】
【発明が解決しようとする課題】
【０００８】
そこで、本発明は、上記問題に鑑みてなされたものであり、本発明の目的とするところは、アクティブ方式の３Ｄメガネとパッシブ方式の３Ｄメガネとが互換可能な３Ｄメガネ、それを含む３Ｄディスプレイ装置及びその制御方法を提供することにある。
【課題を解決するための手段】
【０００９】
前記目的を達成するための本発明の一実施形態に係る３Ｄディスプレイ装置は、３Ｄ映像を表示する３Ｄパネル部と、前記３Ｄパネル部の前面に取り付けられ、前記３Ｄ映像を位相遅延させて円偏光成分に変換させる第１円偏光フィルムと、前記３Ｄ映像を視聴するための３Ｄメガネとを含み、前記３Ｄメガネは、前記第１円偏光フィルムにより変換された円偏光成分を位相遅延させて直線偏光成分に変換させる第２円偏光フィルムと、前記第２円偏光フィルムにより変換された前記直線偏光成分を、電源状態に応じて前記直線偏光成分を通過または遮断させる液晶部と、前記液晶部を通過した直線偏光成分の方向に応じて前記直線偏光成分を通過または遮断させる直線偏光板とにより構成される。
【００１０】
この場合、前記第１円偏光フィルムはλ／４だけ位相が遅延される円偏光フィルムであり、前記第２円偏光フィルムは−λ／４だけ位相が遅延される円偏光フィルムである。
【００１１】
そして、前記第１円偏光フィルムの光軸と前記第２円偏光フィルムの光軸との差が９０℃であることが望ましい。
【００１２】
また、前記液晶部のラビング（Ｒｕｂｂｉｎｇ）方向と前記第２円偏光フィルムの光軸との差が４５℃であることが望ましい。
【００１３】
一方、前記液晶部は、前記３Ｄ映像の左眼映像または右眼映像に応じて、前記３Ｄメガネの左眼または右眼の電源が交互に印加され、前記３Ｄパネル部と同期を取って動作する。
【００１４】
そして、前記第１円偏光フィルムは、パターン化された円偏光フィルム（Ｐａｔｔｅｒｎｅｄ  ｒｅｔａｒｄｅｒ）であってよい。
【００１５】
一方、前記液晶部は、前記３Ｄメガネの左眼または右眼のうちいずれか一方にのみ継続して電圧が印加され、他方には電圧が印加されなくてよい。
【００１６】
一方、前記直線偏光板は、水平（Ｈｏｒｉｚｏｎｔａｌ）直線偏光板であることが望ましい。
【００１７】
また、前記液晶部は、別の直線偏光板を含まずに、前記液晶部と前記第２円偏光フィルムとの間にも前記別の直線偏光板を含まなくてよい。
【００１８】
一方、本発明の別の実施形態に係る３Ｄディスプレイ装置の制御方法は、３Ｄパネル部の前面に取り付けられた第１円偏光フィルムが、前記３Ｄパネル部により表示される映像を位相遅延させて円偏光成分に変換させるステップと、３Ｄメガネの第２円偏光フィルムが、前記変換された円偏光成分を位相遅延させて直線偏光成分に変換させるステップと、前記３Ｄメガネの液晶部が、前記変換された直線偏光成分を電源状態に応じて通過または遮断させるステップと、前記３Ｄメガネの直線偏光板が、前記通過した直線偏光成分の方向に応じて前記直線偏光成分を通過または遮断させるステップとを含む。
【００１９】
この場合、前記第１円偏光フィルムはλ／４だけ位相が遅延される円偏光フィルムであり、前記第２円偏光フィルムは−λ／４だけ位相が遅延される円偏光フィルムである。
【００２０】
一方、前記直線偏光成分を通過または遮断させるステップは、前記液晶部に前記３Ｄ映像の左眼映像または右眼映像に応じて、前記３Ｄメガネの左眼または右眼の電源が交互に印加され、前記液晶部は前記３Ｄパネル部と同期を取って動作する。
【００２１】
また、前記直線偏光成分を通過または遮断させるステップは、前記液晶部に前記３Ｄメガネの左眼または右眼のうちいずれか一方にのみ継続して電圧が印加され、他方には電圧が印加されなくてよい。
【図面の簡単な説明】
【００２２】
【図１】本発明の一実施形態に係る３Ｄディスプレイ装置を示す図である。
【図２】図１に示された本発明の一実施形態に係る３Ｄディスプレイ装置中のアクティブ方式のパネル部を説明するための図である。
【図３】図１に示された本発明の一実施形態に係る３Ｄディスプレイ装置中のパッシブ方式のパネル部を説明するための図である。
【図４】図１に示された本発明の一実施形態に係る３Ｄディスプレイ装置における３Ｄメガネを説明するための図である。
【図５Ａ】図１に示された本発明の一実施形態に係る３Ｄディスプレイ装置中のアクティブ方式の動作の一例を説明するための図である。
【図５Ｂ】図１に示された本発明の一実施形態に係る３Ｄディスプレイ装置中のアクティブ方式の動作の一例を説明するための図である。
【図６】図１に示された本発明の一実施形態に係る３Ｄディスプレイ装置中のパッシブ方式の動作の一例を説明するための図である。
【図７】本発明の一実施形態に係る３Ｄディスプレイ装置の制御方法を示すフローチャートである。
【発明を実施するための形態】
【００２３】
以下に添付図面を参照しながら、本発明の好適な実施の形態について詳細に説明する。なお、本発明を説明するうえで、関連する公知機能または構成に対する具体的な説明が本発明の要旨を妨げると判断される場合は、その詳細な説明を省略する。
【００２４】
図１は、本発明の一実施形態に係る３Ｄディスプレイ装置を示す図である。図１に示すように、本発明の一実施形態に係る３Ｄディスプレイ装置１００は、３Ｄ映像を表示する３Ｄパネル部１１０及び３Ｄ映像を視聴するための３Ｄメガネ１２０を含む。
【００２５】
３Ｄパネル部１１０は、３Ｄ映像を表示したり、２Ｄ映像および３Ｄ映像の両方を表示できるようになされている。
【００２６】
３Ｄパネル部１１０が２Ｄ映像を表示する場合、既存の２Ｄパネル部と同様の方法を用いることができ、３Ｄ映像を表示する場合、カメラなどの撮影装置から受信された３Ｄ映像またはカメラによって撮影されて放送局で編集／加工された後、放送局から送出された３Ｄ映像を受信し、受信された３Ｄ映像を処理した後にそれを画面に表示することができる。特に、３Ｄパネル部１１０は３Ｄ映像のフォーマットを参照し、視聴者が立体感を感じられるように、左眼映像と右眼映像とを時間的に交互に表示するアクティブ方式、または左眼映像と右眼映像とを空間的に区分して表示するパッシブ方式により左眼映像及び右眼映像を現出せしめる。
【００２７】
３Ｄメガネ１２０は、アクティブ方式及びパッシブ方式の映像をいずれも表示できるように構成されている。
【００２８】
以下では、図２ないし図４を参照にし、本発明の一実施形態に係る３Ｄディスプレイ装置について説明する。
【００２９】
図２は、図１に示された本発明の一実施形態に係る３Ｄディスプレイ装置中のアクティブ方式のパネル部を説明するための図であり、図３は、図１に示された本発明の一実施形態に係る３Ｄディスプレイ装置中のパッシブ方式のパネル部を説明するための図であり、図４は、図１に示された本発明の一実施形態に係る３Ｄディスプレイ装置における３Ｄメガネを説明するための図である。
【００３０】
アクティブ方式の場合、図２に示されたように、左眼映像と右眼映像とが時間的に交互に表示される３Ｄパネル部１１０の前面には３Ｄ映像を位相遅延させて、円偏光成分に変換させる第１円偏光フィルム１１２が取り付けられる。
【００３１】
ここで、第１円偏光フィルム１１２は、λ／４だけ位相が遅延される円偏光フィルムである。
【００３２】
即ち、アクティブ方式の場合、３Ｄパネル部で表示される左眼映像または右眼映像が第１円偏光フィルムを通過した後、同様の方向の円偏光成分を有する左眼映像または右眼映像に変換されるのである。
【００３３】
パッシブ方式の場合、図３に示されたように、左眼映像と右眼映像とが空間上で分離されて表示される３Ｄパネル部１１０の前面には、３Ｄ映像を位相遅延させて互いに反対方向の円偏光成分に変換させる第１円偏光フィルム１１４が取り付けられる。
【００３４】
ここで、パッシブ方式で使われる第１円偏光フィルム１１４は、空間上で分離された左眼映像と右眼映像との位相を遅延させるためのパターン化された円偏光フィルム（Ｐａｔｔｅｒｎｅｄ  ｒｅｔａｒｄｅｒ）でよい。
【００３５】
ここで、パターン化された円偏光フィルム（Ｐａｔｔｅｒｎｅｄ  ｒｅｔａｒｄｅｒ）は、左眼映像または右眼映像に応じて、λ／４だけ位相が遅延される円偏光フィルムまたは−λ／４だけ位相が遅延される円偏光フィルムでパターンが形成することができる。
【００３６】
例えば、パッシブ方式の場合、３Ｄパネル部で表示される左眼映像がλ／４だけ位相が遅延される円偏光フィルムを通過して円偏光成分に変換され、右眼映像は−λ／４だけ位相が遅延される円偏光フィルムを通過して円偏光成分に変換されるのである。
【００３７】
即ち、図３に示されたように、左眼映像と右眼映像の円偏光成分は、互いに反対方向の成分を有する円偏光成分になるのである。
【００３８】
ここで、図２ないし図３は、３Ｄパネル部及び第１円偏光フィルムは３Ｄパネル部でアクティブ方式及びパッシブ方式で映像が表示される方式における説明の便宜上概略的に示したものであって、実際とは異なるように形成されるということは、当業者にとって自明であろう。
【００３９】
一方、本発明の一実施形態に係る３Ｄディスプレイ装置における３Ｄメガネは、アクティブ方式及びパッシブ方式の映像のいずれもが表示可能であり、図４に示したように、３Ｄメガネ１２０は左眼及び右眼のそれぞれに第２円偏光フィルム１２２、液晶部１２４及び直線偏光板１２６を含む。
【００４０】
第２円偏光フィルム１２２は、第１円偏光フィルムによって変換された円偏光成分を位相遅延させて直線偏光成分に変換させる。
【００４１】
ここで、第１円偏光フィルムの光軸と第２円偏光フィルムの光軸との差が９０℃である。
【００４２】
なお、第１円偏光フィルムがλ／４だけ位相が遅延される円偏光フィルムであって、第２円偏光フィルムが−λ／４だけ位相が遅延される円偏光フィルムである。
【００４３】
即ち、アクティブ方式の場合、左眼映像または右眼映像は、第１円偏光フィルム及び第２円偏光フィルムを通過した映像は、最初３Ｄパネル部で表示される映像と同様の成分の直線偏光成分の映像に変換されるのである。なお、パッシブ方式の場合、左眼映像または右眼映像は、第２円偏光フィルムを通過した場合、互いに反対方向の直線偏光成分の映像に変換されるのである。
【００４４】
液晶部１２４は、第２円偏光フィルム１２２によって変換された直線偏光成分を電源状態に応じて直線偏光成分を通過または遮断させる。
【００４５】
言い換えると、液晶部は３Ｄディスプレイ装置の駆動装置と電気的に接続されて、電圧の印加または遮断が行われる。
【００４６】
ここで、本発明の一実施形態に係る３Ｄメガネの液晶部１２４は、既存の液晶部に直線偏光板が取り付けられているものと違って、液晶部１２４はいかなる他の直線偏光フィルムを含めておらず、液晶部と第２円偏光フィルムの間にも別の直線偏光フィルムを含めていない。
【００４７】
ここで、液晶部のラビング（Ｒｕｂｂｉｎｇ）方向と第２円偏光フィルム１２２の光軸との差が４５℃である。これは、液晶部の電源状態に応じて、液晶部を通過する直線偏光成分をそのまま通過させたり、反対方向の直線偏光成分に変換させるためのものである。
【００４８】
一実施形態において、液晶部１２４は３Ｄ映像の左眼映像または右眼映像に応じて、３Ｄメガネの左眼または右眼の電源が交互に印加され、３Ｄパネル部１１０と同期を取って動作することができる。
【００４９】
別の実施形態において、液晶部１２４は３Ｄメガネの左眼または右眼のうちいずれか一方にのみ継続して電圧が印加され、残りは電圧が印加されなくてよい。
【００５０】
例えば、アクティブ方式の場合、左眼映像または右眼映像に応じて、３Ｄメガネの左眼または右眼の液晶部の電源をオンまたはオフにして、左眼映像または右眼映像を通過または遮断させるのである。なお、パッシブ方式の場合、アクティブ方式とは違って、３Ｄパネルと同期を取って駆動することなく、３Ｄメガネの左眼または右眼の液晶部のうちいずれか一方にのみ電圧を印加し、残りには電圧を印加しない状態を維持する。
【００５１】
一方、アクティブ方式の動作に対する説明は、図５Ａ及び図５Ｂで詳細に説明することにし、パッシブ方式の動作に対する説明は図６で詳細に説明する。
【００５２】
直線偏光板１２６は、液晶部１２４を通過した直線偏光成分の方向に応じて、直線偏光成分を通過または遮断させる。
【００５３】
即ち、直線偏光板が水平方向成分の直線偏光のみを通過させる直線偏光板である場合には、水平方向成分の映像のみを通過させ、直線偏光板が垂直方向成分の直線偏光のみを通過させる直線偏光板である場合には、垂直方向成分の映像のみを通過させるのである。
【００５４】
ここで、直線偏光板１２６は、水平直線偏光板（Ｈｏｒｉｚｏｎｔａｌ  Ｐｏｌａｒｉｚｅｒ）であってよく、既存のアクティブ方式の３Ｄメガネの場合、第２円偏光フィルム１２２の位置に取り付けられる垂直直線偏光板（Ｖｅｒｔｉｃａｌ  Ｐｏｌａｒｉｚｅｒ）が除去されて第２円偏光フィルム１２２が取り付けられてよい。
【００５５】
一方、図４で本発明の一実施形態に係る３Ｄメガネは、説明の便宜上、第２円偏光フィルム、液晶部及び直線偏光板が互いに分離されるように示したが、実際には液晶部の前面及び背面に、第２円偏光フィルム及び直線偏光板が取り付けられていることは、当業者にとって自明であろう。
【００５６】
図５Ａ及び図５Ｂは、図１に示された本発明の一実施形態に係る３Ｄディスプレイ装置中のアクティブ方式の動作の一例を説明するための図である。
【００５７】
図５Ａに示すように、例えば、時計回りの円偏光成分を有する左眼映像が第２円偏光フィルム１２２を通過した場合、３Ｄメガネ１２０の左眼及び右眼のいずれもが水平方向の直線偏光成分に変換され、３Ｄメガネの左眼の液晶部１２４の電源がオフとなり、右眼の液晶部１２４の電源がオンになった場合、水平方向の直線偏光成分は３Ｄメガネの左眼の液晶部１２４を通過すると垂直方向の直線偏光成分に変換され、３Ｄメガネの右眼の液晶部１２４を通過すると方向が変わらずにそのまま水平方向の直線偏光成分が通過する。なお、直線偏光板１２６が垂直方向の直線偏光成分のみを通過させる直線偏光板なら、左眼及び右眼の液晶部１２４を通過した直線偏光成分のうち、左眼の直線偏光成分のみ直線偏光板１２６を通過してユーザの左眼に表示されるようになる。
【００５８】
なお、図５Ｂに示すように、例えば、時計回りの円偏光成分を有する右眼映像が第２円偏光フィルム１２２を通過した場合、３Ｄメガネ１２０の左眼及び右眼のいずれもが水平方向の直線偏光成分に変換され、３Ｄメガネの左眼の液晶部１２４の電源がオフとなり、右眼の液晶部１２４の電源がオンになった場合、水平方向の直線偏光成分は３Ｄメガネの左眼の液晶部１２４を通過すると直線偏光の方向が変わらずにそのまま水平方向の直線偏光成分のみが通過し、３Ｄメガネの右眼の液晶部１２４を通過すると垂直方向の直線偏光成分に変換される。一方、直線偏光板１２６が垂直方向の直線偏光成分のみを通過させる直線偏光板なら、左眼及び右眼の液晶部１２４を通過した直線偏光成分のうち、右眼の直線偏光成分のみ直線偏光板１２６を通過してユーザの右眼に表示されるようになる。
【００５９】
従って、本発明の一実施形態に係る３Ｄディスプレイ装置がアクティブ方式で動作する場合、３Ｄパネル部で表示される左眼映像または右眼映像と同期を取って３Ｄメガネの液晶部の電源を印加または除去することにより、ユーザが３Ｄ映像を鑑賞できるようになる。
【００６０】
図６は、図１に示された本発明の一実施形態に係る３Ｄディスプレイ装置中のパッシブ方式の動作の一例を説明するための図である。
【００６１】
図６に示すように、例えば、時計回りの円偏光成分を有する左眼映像と、反時計回りの円偏光成分を有する右眼映像とが、第２円偏光フィルム１２２を通過した場合、３Ｄメガネ１２０の左眼及び右眼は左眼映像が水平方向の直線偏光に変換され、右眼映像は垂直方向の直線偏光に変換される。ここで、３Ｄメガネ１２０の左眼の電源をオフ状態に維持し、右眼の電源をオン状態で、第２円偏光フィルムを通過した左眼及び右眼映像は３Ｄメガネ１２０の左眼の液晶部１２４を通過しつつ、左眼映像は垂直方向の直線偏光成分に変換され、右眼映像は水平方向の直線偏光成分に変換される。なお、３Ｄメガネ１２０の右眼の液晶部１２４を通過しつつ、左眼映像はそのまま水平方向の直線偏光成分に、右眼映像はそのまま垂直方向の直線偏光成分に変換される。一方、直線偏光板１２６が垂直方向の直線偏光成分のみを通過させる直線偏光板なら、左眼及び右眼の液晶部１２４を通過した直線偏光成分のうち、３Ｄメガネ１２０の左眼には垂直方向の直線偏光成分を有する左眼映像のみが、３Ｄメガネ１２０の右眼には垂直方向の直線偏光成分を有する右眼映像のみが表示されるようになる。
【００６２】
従って、本発明の一実施形態に係る３Ｄディスプレイ装置が、パッシブ方式で動作する場合、３Ｄパネル部で表示される左眼映像または右眼映像が同期を取って３Ｄメガネの液晶部の電源を印加することなく、３Ｄメガネの左眼または右眼のうちいずれか一方のみに電源を印加することにより、ユーザが３Ｄ映像を鑑賞できるようになるのである。
【００６３】
図７は、本発明の一実施形態に係る３Ｄディスプレイ装置の制御方法を示すフローチャートである。
【００６４】
まず、３Ｄパネル部の前面に取り付けられた第１円偏光フィルムが、３Ｄパネル部によって表示される映像を位相遅延させて円偏光成分に変換させる（Ｓ７１０）。
【００６５】
ここで、アクティブ方式の場合、左眼映像と右眼映像とが時間的に交互に表示される３Ｄパネル部の前面には３Ｄ映像を位相遅延させて円偏光成分に変換させる第１円偏光フィルムが取り付けられる。なお、第１円偏光フィルム１１２はλ／４だけ位相が遅延される円偏光フィルムである。
【００６６】
即ち、アクティブ方式の場合、３Ｄパネル部で表示される左眼映像または右眼映像が第１円偏光フィルムを通過した後、同様の方向の円偏光成分を有する左眼映像または右眼映像に変換されるのである。
【００６７】
パッシブ方式の場合、左眼映像と右眼映像とが空間上で分離されて表示される３Ｄパネル部の前面には、３Ｄ映像を位相遅延させて互いに反対方向の円偏光成分に変換させる第１円偏光フィルムが取り付けられる。ここで、パッシブ方式で使われる第１円偏光フィルムは空間上で分離された左眼映像と右眼映像の位相を遅延させるためのパターン化された円偏光フィルム（Ｐａｔｔｅｒｎｅｄ  ｒｅｔａｒｄｅｒ）である。
【００６８】
なお、パターン化された円偏光フィルム（Ｐａｔｔｅｒｎｅｄ  ｒｅｔａｒｄｅｒ）は、左眼映像または右眼映像に応じて、λ／４だけ位相が遅延される円偏光フィルムまたは−λ／４だけ位相が遅延される円偏光フィルムにパターンが形成されてよい。
【００６９】
例えば、パッシブ方式の場合、３Ｄパネル部で表示される左眼映像がλ／４だけ位相が遅延される円偏光フィルムを通過して円偏光成分に変換され、右眼映像は−λ／４だけ位相が遅延される円偏光フィルムを通過して円偏光成分に変換されるのである。
【００７０】
言い換えると、左眼映像と右眼映像との円偏光成分は互いに反対方向の成分を持つ円偏光成分になるのである。
【００７１】
次に、３Ｄメガネの第２円偏光フィルムが、変換された円偏光成分を位相遅延させて直線偏光成分に変換させる（Ｓ７３０）。
【００７２】
ここで、第１円偏光フィルムは、λ／４だけ位相が遅延される円偏光フィルムであり、第２円偏光フィルムは−λ／４だけ位相が遅延される円偏光フィルムである。
【００７３】
即ち、アクティブ方式の場合、左眼映像または右眼映像は第１円偏光フィルム及び第２円偏光フィルムを通過した映像は、最初３Ｄパネル部で表示される映像と同様の成分の直線偏光成分の映像に変換されるのである。なお、パッシブ方式の場合、左眼映像または右眼映像は、第２円偏光フィルムを通過した場合、互いに反対方向の直線偏光成分の映像に変換されるのである。
【００７４】
ここで、第１円偏光フィルムの光軸と第２円偏光フィルムの光軸との差が９０℃である。
【００７５】
次に、３Ｄメガネの液晶部が、変換された直線偏光成分を電源状態に応じて、通過または遮断される（Ｓ７５０）。
【００７６】
即ち、液晶部は３Ｄディスプレイ装置の駆動装置と電気的に接続され、電圧の印加または遮断が可能である。
【００７７】
ここで、液晶部のラビング（Ｒｕｂｂｉｎｇ）方向と第２円偏光フィルムの光軸との差が４５℃である。これは、液晶部の電源状態に応じて、液晶部を通過する直線偏光成分をそのまま通過させたり、反対方向の直線偏光成分に変換させるためのものである。
【００７８】
一実施形態において、液晶部は３Ｄ映像の左眼映像または右眼映像に応じて、３Ｄメガネの左眼または右眼の電源が交互に印加され、３Ｄパネル部と同期を取って動作することができる。
【００７９】
別の実施形態において、液晶部は３Ｄメガネの左眼または右眼のうちいずれか一方にのみ継続して電圧が印加され、残りは電圧が印加されなくてよい。
【００８０】
例えば、アクティブ方式の場合、左眼映像または右眼映像に応じて、３Ｄメガネの左眼または右眼の液晶部の電源をオンまたはオフにして、左眼映像または右眼映像を通過または遮断させるのである。なお、パッシブ方式の場合、アクティブ方式とは違って、３Ｄパネルと同期を取って駆動することなく、３Ｄメガネの左眼または右眼の液晶部のうちいずれか一方にのみ電圧を印加し、残りには電圧を印加しない状態を維持させる。
【００８１】
最後に、３Ｄメガネの直線偏光板が、通過した直線偏光成分の方向に応じて、直線偏光成分を通過または遮断される（Ｓ７７０）。
【００８２】
言い換えると、直線偏光板が水平方向成分の直線偏光のみを通過させる直線偏光板である場合には水平方向成分の映像のみを通過させ、直線偏光板が垂直方向成分の直線偏光のみを通過させる直線偏光板である場合には垂直方向成分の映像のみを通過させるのである。
【００８３】
従って、本発明の多様な実施形態に係る３Ｄディスプレイ装置の制御方法は、アクティブ方式及びパッシブ方式で３Ｄ映像が表示される場合、いずれもが一つの３Ｄメガネで３Ｄ映像を視聴することができる。
【００８４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと理解される。
【図１】
2012098725.tif 000003
【図２】
2012098725.tif 000004
【図３】
2012098725.tif 000005
【図４】
2012098725.tif 000006
【図５Ａ】
2012098725.tif 000007
【図５Ｂ】
2012098725.tif 000008
【図６】
2012098725.tif 000009
【図７】
2012098725.tif 000010